(57)【要約】【課題】眼鏡レンズの目視により確認したレンズマークに該当するレンズ情報を容易に特定できるようにすること。【解決手段】眼鏡レンズに刻印されているレンズマークおよびその刻印位置の入力を受け付ける入力受付部１１２と、入力受付部１１２が入力を受け付けたレンズマークおよび刻印位置を検索キーワードとして、当該検索キーワードに該当するレンズ情報をレンズ情報記憶部１０６から検索するレンズ情報検索部１１４とを備えることにより、目視したとおりにレンズマークとその刻印位置とをレンズマーク照合装置１００に入力するという簡単な作業を行うだけで、その眼鏡レンズに関する詳細なレンズ情報の提示を受けることができるようにする。【選択図】図１
2016091133.tif 000002
【特許請求の範囲】
【請求項１】
眼鏡レンズに刻印されているレンズマークをデータベースと照合し、前記レンズマークに該当するレンズ情報を特定するレンズマーク照合装置であって、
前記眼鏡レンズに刻印されている前記レンズマークおよびその刻印位置の入力を受け付ける入力受付部と、
前記入力受付部が入力を受け付けた前記レンズマークおよび前記刻印位置を検索キーワードとして、当該検索キーワードに該当するレンズ情報を前記データベースから検索するレンズ情報検索部と
を備えることを特徴とするレンズマーク照合装置。
【請求項２】
前記データベースは、
前記レンズ情報を前記眼鏡レンズ毎に格納するレンズ情報記憶部と、
前記眼鏡レンズに刻印されている前記レンズマークおよびその刻印位置が示された刻印情報を前記眼鏡レンズ毎に格納する刻印情報記憶部と、を含んで構成されており、
前記レンズ情報検索部は、
前記入力受付部が入力を受け付けた前記レンズマークおよび前記刻印位置を検索キーワードとして、当該検索キーワードに該当する前記刻印情報を前記刻印情報記憶部から検索し、検索された前記刻印情報に対応する前記レンズ情報を前記レンズ情報記憶部から検索する
ことを特徴とする請求項１に記載のレンズマーク照合装置。
【請求項３】
前記レンズマークおよび前記刻印位置の入力を前記入力受付部が受け付ける際に、その時点で入力済みの１または複数の前記レンズマークおよび前記刻印位置を検索キーワードとして、当該検索キーワードに該当する刻印情報を前記刻印情報記憶部から検索し、検索された刻印情報に基づいて、未入力の刻印位置に入力可能な前記レンズマークを特定し、当該レンズマークをユーザに提示する入力可能レンズマーク提示部
をさらに備えることを特徴とする請求項２に記載のレンズマーク照合装置。
【請求項４】
前記レンズ情報検索部は、
前記レンズマークおよび前記刻印位置の入力を前記入力受付部が受け付ける毎に、その時点で入力済みの１または複数の前記レンズマークおよび前記刻印位置を検索キーワードとして、当該検索キーワードに該当する前記レンズ情報の絞り込み検索を行う
ことを特徴とする請求項１から３のいずれか一項に記載のレンズマーク照合装置。
【請求項５】
前記入力受付部は、
複数の刻印位置と同様に配列された複数の入力項目からなる入力行をディスプレイに表示して、当該入力行の任意の入力項目に前記レンズマークを入力させることによって、前記レンズマークおよびその刻印位置の入力を受け付ける
ことを特徴とする請求項１から４のいずれか一項に記載のレンズマーク照合装置。
【請求項６】
前記入力受付部は、
前記入力行においていずれかの前記入力項目を選択するためのカーソルの初期位置を、一方の前記眼鏡レンズでは、前記入力行の一端の入力項目とし、他方の前記眼鏡レンズでは、前記入力行の他端の入力項目とする
ことを特徴とする請求項５に記載のレンズマーク照合装置。
【請求項７】
サーバ装置が、ユーザ端末からの要求に応じて、眼鏡レンズに刻印されているレンズマークをデータベースと照合し、前記レンズマークに該当するレンズ情報を特定するレンズマーク照合システムであって、
前記ユーザ端末は、
前記眼鏡レンズに刻印されている前記レンズマークおよびその刻印位置のユーザ端末からの入力を受け付ける入力受付部と、
前記入力受付部が入力を受け付けた前記レンズマークおよびその刻印位置を前記サーバ装置へ送信する送信部と、を備え、
前記サーバ装置は、
前記送信部によって送信された前記レンズマークおよび前記刻印位置を検索キーワードとして、当該検索キーワードに該当するレンズ情報を前記データベースから検索するレンズ情報検索部と、
前記レンズ情報検索部によって検索された前記レンズ情報を前記ユーザ端末へ出力するレンズ情報出力部と、を備える
ことを特徴とするレンズマーク照合システム。
【請求項８】
眼鏡レンズに刻印されているレンズマークをデータベースと照合し、前記レンズマークに該当するレンズ情報を特定するレンズマーク照合方法であって、
レンズマーク照合装置の入力受付部が、前記眼鏡レンズに刻印されている前記レンズマークおよびその刻印位置の入力を受け付ける入力受付工程と、
前記レンズマーク照合装置のレンズ情報検索部が、前記入力受付部が入力を受け付けた前記レンズマークおよび前記刻印位置を検索キーワードとして、当該検索キーワードに該当するレンズ情報を前記データベースから検索するレンズ情報検索工程と
を含むことを特徴とするレンズマーク照合方法。
【請求項９】
眼鏡レンズに刻印されているレンズマークをデータベースと照合し、前記レンズマークに該当するレンズ情報を特定するレンズマーク照合用プログラムであって、
前記眼鏡レンズに刻印されている前記レンズマークおよびその刻印位置の入力を受け付ける入力受付部、および、
前記入力受付部が入力を受け付けた前記レンズマークおよび前記刻印位置を検索キーワードとして、当該検索キーワードに該当するレンズ情報を前記データベースから検索するレンズ情報検索部
としてコンピュータを機能させるためのレンズマーク照合用プログラム。
【発明の詳細な説明】
【技術分野】
【０００１】
本発明は、レンズマーク照合装置、レンズマーク照合システム、レンズマーク照合方法およびレンズマーク照合用プログラムに関し、特に、眼鏡レンズに刻印されているレンズマークをデータベースと照合して該当するレンズ情報を特定するための技術に関するものである。
【背景技術】
【０００２】
一般に、遠近両用レンズや中近レンズ、単焦点レンズの一部には、レンズメーカー、レンズ種類、屈折率、累進帯長、加入度数、素材などを特定可能なレンズマークが刻印されている。このレンズマークは、レンズに光を透かしたり、見る角度を変えたりしながらよく注視しないと見えないものであり、「隠しマーク」とも呼ばれている。レンズマークは、メガネをかけたときに視界に入らない位置に刻印されており、通常は専門の業者がレンズの種類や度数などの情報を把握するために利用される。
【０００３】
図９は、眼鏡レンズに刻印されているレンズマークの一例を示す図である。図９に示すように、レンズマークは、眼鏡の左右のレンズにそれぞれ刻印されている。レンズマークは、アルファベット、数字および特定の記号の組み合わせから構成され、それぞれがレンズ上で刻印されている位置も意味を持つ。すなわち、レンズ上のどの位置にどのようなアルファベット、数字または記号が刻印されているかによって、レンズメーカー、レンズ種類、屈折率、累進帯長、加入度数、素材などのレンズ情報を判別可能なしくみとなっている。
【０００４】
例えば、図９に示す例では、眼鏡９００は、右眼鏡レンズ９１０および左眼鏡レンズ９２０を備えている。右眼鏡レンズ９１０には、レンズマーク９１１（「○」），９１２（「KP」），９１３（「◎」），９１４（「20」）が刻印されている。また、左眼鏡レンズ９２０には、レンズマーク９２１（「○」），９２２（「KP」），９２３（「◎」），９２４（「20」）が刻印されている。
【０００５】
従来、業者がこのレンズマークを利用してレンズ情報を把握しようとする場合、まずはレンズを注視してレンズマークを探す。レンズマークを確認できたら、それをレンズマーク一覧表と照合することにより、確認したレンズマークと同じものを一覧表の中から探し出す。レンズマーク一覧表は、レンズ上のどの位置にどのアルファベット、数字または記号が刻印されているかによって異なるパターンを書き出したものであり、パターン毎にレンズ情報が記されている。したがって、レンズ上で確認したレンズマークのパターンと同じパターンをレンズマーク一覧表の中から見つけることにより、レンズ情報を把握することができる。
【０００６】
しかしながら、アルファベット、数字および記号の組み合わせの数は非常に多く、これに位置の組み合わせも加わるため、レンズマークのパターン数は膨大なものとなる。このため、レンズマーク一覧表も自ずと膨大となり、この中から、レンズの目視により確認したレンズマークに該当するものを探し出すのは実に骨の折れる作業となる。また、各レンズメーカーにより組み合わせや配列のルールが異なる上、さらにレンズメーカーが独自に作成している特殊な造形のレンズマークも加わるため、さらにレンズマークの照合の難易度は増す。また、特定のレンズメーカー（例えば、取引外のレンズメーカー等）のレンズマーク一覧表の入手が困難な場合には、そのレンズメーカーのレンズマークの照合ができなくなる虞がある。
【０００７】
なお、画像を複数の領域に分割し、領域毎に属性情報（キーワード）を付与することにより、検索対象物を表す属性情報を含む領域のみを検索するようにした技術が存在する（例えば、特許文献１参照）。
【先行技術文献】
【特許文献】
【０００８】
【特許文献１】特開平１１−５３３７２号公報
【発明の概要】
【発明が解決しようとする課題】
【０００９】
上述したように、従来は、眼鏡レンズに刻印されたレンズマークを利用して業者がレンズ情報を把握しようとする場合、目視により確認したレンズマークと合致するレンズマークを膨大な一覧表の中から手作業により探し出す必要があり、多大な手間と時間がかかるという問題があった。
【００１０】
本発明は、このような問題を解決するために成されたものであり、眼鏡レンズの目視により確認したレンズマークに該当するレンズ情報を容易に特定できるようにすることを目的とする。
【課題を解決するための手段】
【００１１】
上記した課題を解決するために、本発明は、眼鏡レンズに刻印されているレンズマークをデータベースと照合し、レンズマークに該当するレンズ情報を特定する発明であって、眼鏡レンズに刻印されているレンズマークおよびその刻印位置の入力を受け付けて、入力を受け付けたレンズマークおよび刻印位置を検索キーワードとして、当該検索キーワードに該当するレンズ情報をデータベースから検索するようにしている。
【発明の効果】
【００１２】
上記のように構成した本発明によれば、ユーザは、目視したとおりにレンズマークとその刻印位置とをレンズマーク照合装置に入力するという簡単な作業を行うだけで、レンズマーク照合装置から、その眼鏡レンズに関する詳細なレンズ情報の提示を受けることができる。このため、本発明によれば、眼鏡レンズの目視により確認したレンズマークに該当するレンズ情報を容易に特定することができる。また、本発明によれば、特定のレンズメーカーのレンズマーク一覧表の入手が困難な場合であっても、そのレンズメーカーのレンズ情報がデータベースに格納されていれば、レンズマークの照合を容易に行うことができる。
【図面の簡単な説明】
【００１３】
【図１】本発明の第１実施形態に係るレンズマーク照合装置の機能構成例を示すブロック図である。
【図２】本発明の第１実施形態に係るレンズマーク照合装置による処理の一例を示すフローチャートである。
【図３】本発明の第１実施形態に係るレンズ情報の一例を示す図である。
【図４】本発明の第１実施形態に係る刻印位置の配置の一例を示す図である。
【図５】本発明の第１実施形態に係る刻印情報の一例を示す図である。
【図６】本発明の第１実施形態に係るレンズマークの一例を示す図である。
【図７】本発明の第１実施形態に係るレンズマーク照合装置によるレンズ情報の検索の際の画面遷移を示す図である。
【図８】本発明の第２実施形態に係るレンズマーク照合システムの機能構成例を示すブロック図である。
【図９】眼鏡レンズに刻印されているレンズマークの一例を示す図である。
【発明を実施するための形態】
【００１４】
以下、本発明の一実施形態を図面に基づいて説明する。
【００１５】
〔レンズマーク照合装置１００の機能構成例〕
図１は、本発明の第１実施形態に係るレンズマーク照合装置１００の機能構成例を示すブロック図である。レンズマーク照合装置１００は、眼鏡レンズに刻印されているレンズマークをデータベースと照合することにより、レンズマークに該当するレンズ情報を特定する装置である。レンズマーク照合装置１００としては、例えば、スマートフォン、携帯電話機、タブレット端末、パーソナルコンピュータ等を用いることができる。
【００１６】
図１に示すように、レンズマーク照合装置１００は、タッチパネル１０２（これに限らない）およびディスプレイ１０４を備えている。また、レンズマーク照合装置１００は、レンズマークを照合するためのデータベースとして、レンズ情報記憶部１０６、刻印情報記憶部１０８およびレンズマーク記憶部１１０を備えている。また、レンズマーク照合装置１００は、その機能構成として、入力受付部１１２、レンズ情報検索部１１４、レンズ情報表示制御部１１６、入力可能レンズマーク提示部１１８および入力画面表示制御部１２０を備えている。
【００１７】
上記各機能ブロック１１２〜１２０は、ハードウェア、ＤＳＰ（Digital Signal Processor）、ソフトウェアの何れによっても構成することが可能である。例えばソフトウェアによって構成する場合、上記各機能ブロック１１２〜１２０は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１８】
したがって、上記各機能ブロック１１２〜１２０の機能は、上記プログラムを例えばＣＤ−ＲＯＭのような記録媒体に記録し、コンピュータに読み込ませることによって実現できるものである。上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムをインターネット等のネットワークを介してコンピュータにダウンロードすることによっても実現できる。
【００１９】
タッチパネル１０２は、各種情報を入力するための入力デバイスの一例である。タッチパネル１０２は、ディスプレイ１０４の表面に重ねて設けられている。ディスプレイ１０４は、各種情報を表示する。ディスプレイ１０４には、例えば液晶ディスプレイ、有機ＥＬディスプレイ等が用いられる。
【００２０】
レンズ情報記憶部１０６は、レンズ情報を眼鏡レンズの商品毎に格納する。図３は、本発明の第１実施形態に係るレンズ情報の一例を示す図である。図３は、レンズ情報記憶部１０６に記憶されている複数のレンズ情報を示している。レンズ情報記憶部１０６においては、眼鏡レンズの商品毎に、レンズ情報が記憶されている。各レンズ情報は、ＩＤ、メーカー、商品名、種類、屈折率、累進帯長、加入度数、素材等の情報を含んでいる。各レンズ情報は、ＩＤによって一意に識別可能となっている。
【００２１】
刻印情報記憶部１０８は、眼鏡レンズに刻印されているレンズマークまたはそれを識別するＩＤと、レンズマークの刻印位置とが示された刻印情報を眼鏡レンズの商品毎に格納する。特に本実施形態では、刻印情報記憶部１０８は、眼鏡レンズの商品毎に、左右の眼鏡レンズのそれぞれの刻印情報を格納するようにしている。レンズマーク記憶部１１０は、レンズマークに用いられる複数の記号を記憶する。
【００２２】
ここで、刻印情報記憶部１０８に記憶される刻印情報について詳細に説明する。まず刻印情報によって示されるレンズマークの刻印位置について説明する。図４は、本発明の第１実施形態に係る刻印位置の配置の一例を示す図である。図４（ａ）は右眼鏡レンズにおける刻印位置の配置を示しており、図４（ｂ）は左眼鏡レンズにおける刻印位置の配置を示している。
【００２３】
図４（ａ）に示すように、右眼鏡レンズは、その外側に４行の刻印領域Ｒ１〜Ｒ４を有しており、その中央側に３行の刻印領域Ｒ５〜Ｒ７を有している。右眼鏡レンズにおいて、外側の一番上の刻印領域Ｒ１は、１つの刻印位置（３１番目の刻印位置）のみを有している。それ以外の６つの刻印領域Ｒ２〜Ｒ７は、それぞれ、横方向に並設された５つの刻印位置を有している。すなわち、本実施形態では、右眼鏡レンズに対して３１個の刻印位置が設けられている。各刻印位置には識別番号（１〜３１番）が付与されており、この識別番号により刻印位置を特定することができるようになっている。右眼鏡レンズにおいて、同じ刻印領域内では、外側から中央側に向かって順番に連続する番号が付与されている。
【００２４】
一方、図４（ｂ）に示すように、左眼鏡レンズは、その外側に４行の刻印領域Ｌ１〜Ｌ４を有しており、その中央側に３行の刻印領域Ｌ５〜Ｌ７を有している。左眼鏡レンズにおいて、外側の一番上の刻印領域Ｌ１は、１つの刻印位置（３１番目の刻印位置）を有している。それ以外の６つの刻印領域Ｌ２〜Ｌ６は、それぞれ、横方向に並設された５つの刻印位置を有している。すなわち、本実施形態では、左眼鏡レンズに対して３１個の刻印位置が設けられている。各刻印位置には識別番号（１〜３１番）が付与されており、この識別番号により刻印位置を特定することができるようになっている。左眼鏡レンズにおいて、同じ刻印領域内では、外側から中央側に向かって順番に連続する番号が付与されている。
【００２５】
図４に示すように、右眼鏡レンズと左眼鏡レンズとでは、刻印位置の配置および識別番号の並びが、互いに対称的である。これにより、同一のレンズマークが右眼鏡レンズと左眼鏡レンズとで対称的に刻印されている場合には、各刻印情報において、同一の識別番号の刻印位置に同一のレンズマークが設定されるようになっている。
【００２６】
次に、刻印情報の一例について説明する。図５は、本発明の第１実施形態に係る刻印情報の一例を示す図である。図５は、刻印情報記憶部１０８に記憶されている刻印情報を示している。図５に示すように、刻印情報記憶部１０８には、眼鏡レンズの商品毎（すなわち、図３に示したレンズ情報毎）に、左右の眼鏡レンズのそれぞれの刻印情報が格納されている。これにより、各商品に対して、左右の眼鏡レンズで互いに異なる刻印情報を設定することが可能となっている。
【００２７】
右眼鏡レンズの刻印情報には、そのＩＤとして、対応するレンズ情報と同一のＩＤが設定されており、且つ、左右を区別するためのカラムに「Ｒ」が設定されている。また、左眼鏡レンズの刻印情報には、そのＩＤとして、対応するレンズ情報と同一のＩＤが設定されており、且つ、左右を区別するためのカラムに「Ｌ」が設定されている。例えば、ＩＤ「ＫＰ＿０００１」が付与されているレンズ情報に対応する、右眼鏡レンズの刻印情報には、そのＩＤとして「ＫＰ＿０００１」が設定されており、左右を区別するためのカラムに「Ｒ」が設定されている。また、左眼鏡レンズの刻印情報には、そのＩＤとして「ＫＰ＿０００１」が設定されており、左右を区別するためのカラムに「Ｌ」が設定されている。これにより、各刻印情報に対応するレンズ情報を容易に特定することができるようになっている。
【００２８】
各刻印情報は、図４に示した刻印位置に対応する１番〜３１番までの複数の刻印位置をデータ項目として含んでいる。各刻印情報において、実際にレンズマークが刻印されている刻印位置には、その刻印位置に刻印されているレンズマークに対応するＩＤが設定されている。一方、各刻印情報において、レンズマークが刻印されていない刻印位置は、空白のままである。
【００２９】
本実施形態では、レンズマークとして英数字（例えば、「KP」、「20」等）が刻印されている場合、その刻印位置に対してその英数字に対応するＩＤ（例えば、「M11」、「M12」等）を設定するようにしている。また、レンズマークとして記号（例えば、「○」、「◎」等）が刻印されている場合、その刻印位置に対してその記号に対応するＩＤ（例えば、「M01」、「M02」等）を設定するようにしている。各英数字および記号に対応するＩＤは、図６に示すように、レンズマーク記憶部１１０にて管理されている。
【００３０】
図６は、本発明の第１実施形態に係るレンズマークの一例を示す図である。図６は、レンズマーク記憶部１１０にレンズマークとして記憶されている複数の記号および英数字を示している。図６に示すように、各記号および英数字には、その記号を一意に識別するためのＩＤが付与されている。そして、図５に示したように、刻印情報記憶部１０８に記憶されている各刻印情報には、その刻印位置に対して、記号または英数字に対応するＩＤが設定される。このように、レンズマークにＩＤを付与してレンズマーク記憶部１１０にて管理することにより、レンズマークに画像を用いた場合であっても容易にこのレンズマークを識別することが可能となる。
【００３１】
入力画面表示制御部１２０は、眼鏡レンズに刻印されているレンズマークおよびその刻印位置の入力画面を、ディスプレイ１０４に表示させる。また、入力画面表示制御部１２０は、入力可能レンズマーク提示部１１８によって特定された、未入力の刻印位置に入力可能なレンズマークの選択画面を、ディスプレイ１０４に表示させる。
【００３２】
入力受付部１１２は、ユーザが行ったタッチパネル１０２の操作による、上記入力画面に対するレンズマークおよびその刻印位置の入力を受け付ける。本実施形態では、まず、入力受付部１１２は、図７（ａ）に示す画面による、右眼鏡レンズまたは左眼鏡レンズのいずれか一方の選択を受け付ける。次に、入力受付部１１２は、図７（ｂ）に示す画面による、眼鏡レンズ上の複数の刻印領域Ｒ１〜Ｒ７のいずれかの刻印領域の選択を受け付ける。次に、入力受付部１１２は、図７（ｃ）に示す画面による、レンズマークとして記号を入力するか英数字を入力するかの選択を受け付ける。そして、入力受付部１１２は、図７（ｄ）に示すように、選択された刻印領域に対応する入力行が示された入力画面により、レンズマークおよびその刻印位置の入力を受け付ける。このように、図７（ｂ）にて刻印領域が選択され、図７（ｄ）にて入力項目が選択されることにより、レンズマークの刻印位置（図４に示す１〜３１番の刻印位置の何れか）が特定されるようなっている。
【００３３】
このとき、入力受付部１１２は、入力行においていずれかの入力項目を選択するためのカーソルの初期位置を、右眼鏡レンズでは、図７（ｄ）および図７（ｄ）’に示すように、入力行の右端の入力項目とし、左眼鏡レンズでは、図７（ｄ）’’に示すように、入力行の左端の入力項目とする。
【００３４】
そして、右眼鏡レンズの入力項目にレンズマークが入力されると、入力受付部１１２は、自動的にその左隣りの入力項目へカーソルを移動させる。その後、レンズマークが入力される毎に、入力受付部１１２は、カーソルを左隣りの入力項目へ順次移動させる。
【００３５】
また、左眼鏡レンズの入力項目にレンズマークが入力されると、入力受付部１１２は、自動的にその右隣りの入力項目へカーソルを移動させる。その後、レンズマークが入力される毎に、入力受付部１１２は、カーソルを右隣りの入力項目へ順次移動させる。
【００３６】
ユーザが目視で眼鏡レンズのレンズマークを読み取る際、ユーザによってレンズマークの読み取り位置が異なる場合がある。例えば、図４に示す刻印領域Ｒ６の２０番目の刻印位置にレンズマークが実際に刻印されているとする。この場合、ユーザによっては、刻印領域Ｒ６の２０番目の刻印位置にレンズマークが刻印されていると正しく読み取る場合もあるし、刻印領域Ｒ６の２０番目以外の刻印位置（すなわち、１６〜１９番目のいずれかの刻印位置）にレンズマークが刻印されていると誤って読み取ってしまう場合もある。そこで、上記のようにカーソルの初期位置の設定およびカーソルの移動を行うことにより、ユーザがどのようにレンズマークを読み取った場合であっても、所定の入力項目（右眼鏡レンズの場合は右詰め、左眼鏡レンズの場合は左詰め）にレンズマークが入力されるようにしている。これにより、ユーザによるレンズマークの読み取り位置のばらつきを解消することができるため、刻印情報記憶部１０８に格納されている刻印情報との照合を確実に行うことができる。
【００３７】
レンズ情報検索部１１４は、入力受付部１１２が入力を受け付けたレンズマークおよびその刻印位置を検索キーワードとして、当該検索キーワードに該当するレンズ情報をレンズ情報記憶部１０６から検索する。具体的には、まず、レンズ情報検索部１１４は、入力受付部１１２が入力を受け付けたレンズマークおよびその刻印位置を検索キーワードとして、当該検索キーワードに該当する刻印情報を刻印情報記憶部１０８から検索する。このとき、レンズ情報検索部１１４は、右眼鏡レンズの場合は左右の区別のカラムに「Ｒ」が設定されている複数の刻印情報の中から、左眼鏡レンズの場合は左右の区別のカラムに「Ｌ」が設定されている複数の刻印情報の中から、入力された刻印位置に対応する識別番号のカラムに、入力されたレンズマークが設定されている刻印情報を検索する。
【００３８】
そして、レンズ情報検索部１１４は、検索された刻印情報により示されるＩＤをもとに、そのＩＤと同一のＩＤを有するレンズ情報をレンズ情報記憶部１０６から検索する。例えば、レンズ情報検索部１１４は、ＩＤとして「ＫＰ＿０００２」を有する刻印情報が刻印情報記憶部１０８から検索された場合、ＩＤとして「ＫＰ＿０００２」を有するレンズ情報をレンズ情報記憶部１０６から検索する。
【００３９】
また、レンズ情報検索部１１４は、レンズマークおよびその刻印位置の入力を入力受付部１１２が受け付ける毎に、その時点で入力済みの１または複数のレンズマークおよびその刻印位置を検索キーワードとして、当該検索キーワードに該当するレンズ情報の絞り込み検索を行う。特に、本実施形態では、レンズ情報検索部１１４は、３つ以上（これに限らない）のレンズマークおよびその刻印位置の入力を入力受付部１１２が受け付けた場合に、その時点で入力済みの複数のレンズマークおよびその刻印位置を検索キーワードとして、当該検索キーワードに該当するレンズ情報の絞り込み検索を行う。
【００４０】
レンズ情報表示制御部１１６は、レンズ情報検索部１１４によって検索されたレンズ情報をディスプレイ１０４に表示させる。レンズ情報表示制御部１１６は、レンズ情報検索部１１４による絞り込み検索にて複数のレンズ情報が検索された場合、図７（ｆ）に示すように、検索された複数のレンズ情報の一覧をディスプレイ１０４に表示させる。一方、レンズ情報表示制御部１１６は、レンズ情報検索部１１４による絞り込み検索にて１つのレンズ情報のみが検索された場合、図７（ｇ）に示すように、検索された１つのレンズ情報の詳細をディスプレイ１０４に表示させる。
【００４１】
入力可能レンズマーク提示部１１８は、未入力の刻印位置に対するレンズマークの入力を入力受付部１１２が受け付ける際に、記号の入力が選択された場合、その時点で入力済みの１または複数のレンズマークおよびその刻印位置を検索キーワードとして、当該検索キーワードに該当する刻印情報を刻印情報記憶部１０８から検索し、検索された刻印情報に基づいて、未入力の刻印位置に入力可能な記号を特定する。入力可能レンズマーク提示部１１８によって特定された未入力の刻印位置に入力可能な記号は、入力画面表示制御部１２０の制御により、ディスプレイ１０４に表示される。ユーザは、ディスプレイ１０４に表示された記号の中から任意の記号を選択して、その記号を未入力の刻印位置に入力することができる。
【００４２】
例えば、右眼鏡レンズの２５番の刻印位置にレンズマークとして「25」が入力済みの場合、入力可能レンズマーク提示部１１８は、図５に示す刻印情報の中から、レンズマーク「25」に対応するＩＤ「M13」が２５番目の刻印位置に設定されている刻印情報を検索することにより、ＩＤとして「ＫＰ＿０００２」を有し、かつ左右の区別のカラムに「Ｒ」が設定されている刻印情報を検索結果として取得する。そして、入力可能レンズマーク提示部１１８は、取得した刻印情報の中で、２５番目の刻印位置が属する刻印領域Ｒ４（２１〜２５番目の刻印位置）の中から、未入力のレンズマーク（記号）のＩＤとして、２４番目の刻印位置に設定されているＩＤ「M03」を抽出する。そして、入力可能レンズマーク提示部１１８は、図６のテーブルに基づいて、抽出したＩＤ「M03」に対応する記号「△」を、未入力の刻印位置に入力可能な記号として特定する。そして、レンズ情報表示制御部１１６によって、この記号「△」が示された一覧がユーザに提示される。
【００４３】
ユーザは、提示された記号の中から任意の記号を選択して、その記号を未入力の刻印位置に入力することができる。このように、入力済みのレンズマークから想定される入力可能な記号をユーザに提示して入力させることにより、該当するレンズ情報が存在しないようなレンズマークの組み合わせをユーザが入力してしまうことを防止することができる。
【００４４】
〔レンズマーク照合装置１００による処理の一例〕
図２は、本発明の第１実施形態に係るレンズマーク照合装置１００による処理の一例を示すフローチャートである。図２に示す処理は、例えば、ユーザがレンズマーク照合装置１００を用いてレンズマークの照合を行おうとしたとき（例えば、レンズマークの照合を行うアプリケーションを起動したとき）に実行される。
【００４５】
まず、入力受付部１１２が、右眼鏡レンズまたは左眼鏡レンズのいずれか一方のユーザ選択を受け付ける（ステップＳ２０２）。次に、入力受付部１１２が、ステップＳ２０２で選択された眼鏡レンズ上の複数の刻印領域の中からの、いずれかの刻印領域のユーザ選択を受け付ける（ステップＳ２０４）。そして、入力画面表示制御部１２０が、ステップＳ２０４で選択された刻印領域に対応する入力行をディスプレイ１０４に表示させて、入力受付部１１２が、当該入力行の所定の刻印位置を自動的に選択する（ステップＳ２０６）。右眼鏡レンズの場合、所定の刻印位置は、初回は右端の刻印位置であり、２回目以降は現在選択されている刻印位置の左隣りの刻印位置である。一方、左眼鏡レンズの場合、所定の刻印位置は、初回は左端の刻印位置であり、２回目以降は現在選択されている刻印位置の右隣りの刻印位置である。
【００４６】
次に、入力受付部１１２が、レンズマークとして記号を入力することを選択する操作を受け付けたか否かを判断する（ステップＳ２０８）。ここで、記号を入力することを選択する操作を入力受付部１１２が受け付けた場合（ステップＳ２０８：Ｙｅｓ）、入力可能レンズマーク提示部１１８が、その時点で入力済みのレンズマークおよびその刻印位置に合致する１以上の刻印情報を刻印情報記憶部１０８から検索し、さらに、検索された刻印情報の中で未入力の刻印位置に設定されているＩＤに対応する記号をレンズマーク記憶部１１０から検索する。そして、入力画面表示制御部１２０が、検索された記号のリストをディスプレイ１０４に表示させる（ステップＳ２１０）。そして、入力受付部１１２が、リスト内のいずれかの記号をレンズマークとして入力する操作を受け付ける（ステップＳ２１４）。
【００４７】
一方、ステップＳ２０８において、英数字を入力することを選択する操作を入力受付部１１２が受け付けた場合（ステップＳ２０８：Ｎｏ）、入力画面表示制御部１２０は、英数字を入力するためのキーボードをディスプレイ１０４に表示させる（ステップＳ２１２）。そして、入力受付部１１２が、キーボードによって入力された英数字をレンズマークとして入力する操作を受け付ける（ステップＳ２１４）。
【００４８】
その後、レンズ情報検索部１１４が、レンズマークが３つ以上入力されたか否かを判断する（ステップＳ２１６）。ここで、レンズマークが３つ以上入力されたとレンズ情報検索部１１４が判断した場合（ステップＳ２１６：Ｙｅｓ）、レンズマーク照合装置１００は、ステップＳ２２０へ処理を進める。一方、レンズマークが３つ以上入力されていないとレンズ情報検索部１１４が判断した場合（ステップＳ２１６：Ｎｏ）、入力受付部１１２が、他の刻印領域を選択する操作を受け付けたか否かを判断する（ステップＳ２１８）。ここで、他の刻印領域を選択する操作を受け付けたと入力受付部１１２が判断した場合（ステップＳ２１８：Ｙｅｓ）、レンズマーク照合装置１００は、ステップＳ２０４以降の処理を再度実行する。一方、他の刻印領域を選択する操作を受け付けていないと入力受付部１１２が判断した場合（ステップＳ２１８：Ｎｏ）、レンズマーク照合装置１００は、ステップＳ２０６以降の処理を再度実行する。
【００４９】
ステップＳ２２０では、レンズ情報検索部１１４が、その時点で入力済みの１または複数のレンズマークおよびその刻印位置を検索キーワードとして、当該検索キーワードに該当するレンズ情報をレンズ情報記憶部１０６から検索する。
【００５０】
そして、レンズ情報表示制御部１１６が、検索されたレンズ情報が１つであるか否かを判断する（ステップＳ２２２）。ここで、検索されたレンズ情報が１つではないとレンズ情報表示制御部１１６が判断した場合（ステップＳ２２２：Ｎｏ）、レンズ情報表示制御部１１６が、検索された複数のレンズ情報のリストをディスプレイ１０４に表示させて（ステップＳ２２４）、レンズマーク照合装置１００は、ステップＳ２１８以降の処理を再度実行する。
【００５１】
一方、検索されたレンズ情報が１つであるとレンズ情報表示制御部１１６が判断した場合（ステップＳ２２２：Ｙｅｓ）、レンズ情報表示制御部１１６が、検索されたレンズ情報をディスプレイ１０４に表示させる（ステップＳ２２６）。その後、入力受付部１１２が、他のレンズを選択する操作を受け付けたか否かを判断する（ステップＳ２２８）。ここで、他のレンズを選択する操作を入力受付部１１２が受け付けた場合（ステップＳ２２８：Ｙｅｓ）、レンズマーク照合装置１００は、ステップＳ２０２以降の処理を再度実行する。一方、他のレンズを選択する操作を入力受付部１１２が受け付けていない場合（ステップＳ２２８：Ｎｏ）、レンズマーク照合装置１００は、図２に示す一連の処理を終了する。
【００５２】
〔レンズマーク照合装置１００によるレンズ情報の検索手順の具体例〕
図７は、本発明の第１実施形態に係るレンズマーク照合装置１００によるレンズ情報の検索の際の画面遷移を示す図である。
【００５３】
まず、入力画面表示制御部１２０が、図７（ａ）に示す画面をディスプレイ１０４に表示させて、右眼鏡レンズまたは左眼鏡レンズのいずれか一方をユーザに選択させる。
【００５４】
図７（ａ）に示す画面において、右眼鏡レンズまたは左眼鏡レンズのいずれか一方を選択する操作を入力受付部１１２が受け付けると、入力画面表示制御部１２０は、図７（ｂ）に示すように、図７（ａ）の画面にて選択された眼鏡レンズ上の複数の刻印領域が表示された画面をディスプレイ１０４に表示させて、当該複数の刻印領域の中から、いずれかの刻印領域をユーザに選択させる。図７（ｂ）では、図７（ａ）の画面にて右眼鏡レンズが選択されたことに応じて、右眼鏡レンズの複数の刻印領域Ｒ１〜Ｒ７の中から、いずれかの刻印領域をユーザに選択させる例を示している。
【００５５】
図７（ｂ）に示す画面において、刻印領域Ｒ１〜Ｒ７の中からいずれかを選択する操作を入力受付部１１２が受け付けると、入力画面表示制御部１２０は、図７（ｃ）に示す画面をディスプレイ１０４に表示させて、レンズマークとして記号を入力するか英数字を入力するかをユーザに選択させる。
【００５６】
図７（ｃ）に示す画面において、記号を入力するか英数字を入力するかを選択する操作を入力受付部１１２が受け付けると、入力画面表示制御部１２０は、図７（ｄ），図７（ｄ）'，図７（ｄ）''に示すように、記号リストまたは英数字のキーボードをディスプレイ１０４に表示させて、図７（ｂ）の画面にて選択された刻印領域に対応する入力行の任意の入力項目にレンズマークをユーザに入力させる。入力受付部１１２は、この入力画面を通じてレンズマークおよびその刻印位置の入力を受け付ける。
【００５７】
図７（ｄ）は、図７（ａ）の画面にて右眼鏡レンズが選択され、図７（ｃ）の画面にて「記号入力」が選択された例を示している。このため、図７（ｄ）の画面では、カーソルの初期位置が入力行の右端の入力項目となっており、入力行の下方には、刻印情報記憶部１０８およびレンズマーク記憶部１１０から検索された記号のリストが表示されている。
【００５８】
この状態から、ユーザが記号のリストの中から何れか一つを選択することによって、入力行の右端の入力項目に記号が入力されると、入力画面表示制御部１２０は、カーソルをその左隣りの次の入力項目に自動的に移動させる。このとき、次の入力項目に記号または英数字のいずれを入力するかをユーザが選択できるように、ディスプレイ１０４には、右端の入力項目に記号が入力された状態で、図７（ｃ）の画面が再び表示される。なお、図７（ｃ）の画面において、「領域選択」ボタンがユーザによって押下されると、他の刻印領域をユーザが選択できるように、記号が入力済みの刻印領域にその記号が表示された状態で、図７（ｂ）の画面が再び表示される。
【００５９】
図７（ｄ）'は、図７（ａ）の画面にて右眼鏡レンズが選択され、図７（ｃ）の画面にて「英数字入力」が選択された例を示している。このため、図７（ｄ）'の画面では、カーソルの初期位置が入力行の右端の入力項目となっており、入力行の下方には、英数字入力のためのキーボードが表示されている。この状態から、ユーザが英数字のキーボードを操作することによって、入力行の右端の入力項目に英数字が入力されると、入力画面表示制御部１２０は、カーソルをその左隣りの次の入力項目に自動的に移動させる。このとき、次の入力項目に記号または英数字のいずれを入力するかをユーザが選択できるように、ディスプレイ１０４には、右端の入力項目に英数字が入力された状態で、図７（ｃ）の画面が再び表示される。
【００６０】
図７（ｄ）''は、図７（ａ）の画面にて左眼鏡レンズが選択され、図７（ｃ）の画面にて「記号入力」が選択された例を示している。このため、図７（ｄ）''の画面では、カーソルの初期位置が入力行の左端の入力項目となっており、入力行の下方には、刻印情報記憶部１０８およびレンズマーク記憶部１１０から検索された記号のリストが表示されている。この状態から、ユーザが記号のリストの中から何れか一つを選択することによって、入力行の左端の入力項目に記号が入力されると、入力画面表示制御部１２０は、カーソルをその右隣りの次の入力項目に自動的に移動させる。このとき、次の入力項目に記号または英数字のいずれを入力するかをユーザが選択できるように、ディスプレイ１０４には、左端の入力項目に記号が入力された状態で、図７（ｃ）の画面が再び表示される。
【００６１】
図７（ｅ）は、図７（ａ）の画面にて選択された右眼鏡レンズに対して、３つのレンズマークが入力された例を示している。このように３つ以上のレンズマークが入力されると、レンズ情報検索部１１４が、自動的に、当該３つ以上のレンズマークおよびその刻印位置を検索キーワードとするレンズ情報の絞り込み検索を行う。この絞り込み検索において、１つのレンズ情報が検索された場合、図７（ｇ）に示すように、検索されたレンズ情報の詳細がディスプレイ１０４に表示される。
【００６２】
一方、この絞り込み検索において、複数のレンズ情報が検索された場合、図７（ｆ）に示すように、検索された複数のレンズ情報のリストがディスプレイ１０４に表示される。この場合、ユーザは、リストから任意のレンズ情報を選択することによって、そのレンズ情報の詳細をディスプレイ１０４に表示させることができる。
【００６３】
または、ユーザは、図７（ｆ）に示す画面において、右眼鏡レンズまたは左眼鏡レンズのいずれか一方を選択して、さらに未入力の刻印位置に対してレンズマークを入力することによって、さらなる絞り込み検索をレンズ情報検索部１１４に行わせることができる。このとき、図７（ｆ）に示す画面において、右眼鏡レンズまたは左眼鏡レンズをユーザが選択すると、ディスプレイ１０４に表示される画面は、図７（ｆ）の画面から、選択された眼鏡レンズの刻印領域をユーザに選択させるための画面(例えば、図７（ｂ）、図７（ｅ）等）に遷移する。
【００６４】
以上説明したように、本実施形態のレンズマーク照合装置１００によれば、ユーザは、目視したとおりの刻印位置にレンズマークを入力するという簡単な作業を行うだけで、レンズマーク照合装置１００から、その眼鏡レンズに関する詳細なレンズ情報の提示を受けることができる。このため、本実施形態のレンズマーク照合装置１００によれば、眼鏡レンズの目視により確認したレンズマークに該当するレンズ情報を容易に特定することができる。
【００６５】
また、本実施形態のレンズマーク照合装置１００によれば、レンズ情報と刻印情報とを別々のデータベース（レンズ情報記憶部１０６と刻印情報記憶部１０８）から検索するようにしている。特に、図５に示すように、刻印情報記憶部１０８に格納されている刻印情報は、複数の刻印位置の番号（１〜３１番）の各々が、そのままデータベーステーブルの列名となっている。このため、刻印情報記憶部１０８から刻印情報を検索する際に、検索条件として入力された刻印位置の番号をそのまま参照列名として指定すれば、その列に設定されているレンズマークのみを参照して、刻印情報の検索を行うことができる。したがって、刻印情報の検索処理に係る負荷を軽減することができ、検索時間を短時間化することができる。
【００６６】
また、本実施形態のレンズマーク照合装置１００によれば、所定数（上記実施形態では３つ）以上のレンズマークおよびその刻印位置が入力されると、その時点で入力済みの所定数のレンズマークおよびその刻印位置を検索キーワードとして、レンズ情報の絞り込み検索が行われる。このため、ユーザは、全てのレンズマークを入力しなくても、提示された複数のレンズ情報の中から所望のレンズ情報を選択して、そのレンズ情報の詳細を知ることができる。したがって、ユーザの入力操作を軽減することができる。
【００６７】
また、本実施形態のレンズマーク照合装置１００によれば、未入力の刻印位置にユーザがレンズマークとして記号を入力しようとした際に、刻印情報記憶部１０８に記憶されている刻印情報に基づいて、その時点で入力済みのレンズマークから、残りのレンズマークとして入力可能な記号のみが抽出され、入力候補としてユーザに提示される。このため、データベースに存在しないレンズマークの組み合わせをユーザが誤って入力してしまうことを防止することができる。また、ユーザに提示される記号の数が軽減されるため、ユーザは、提示された複数の記号の中から所望の記号を容易に探し出すことができる。
【００６８】
また、本実施形態のレンズマーク照合装置１００によれば、レンズマークの入力項目を選択するためのカーソルの初期位置が、右眼鏡レンズでは右端の入力項目が自動的に選択され、左眼鏡レンズでは左端の入力項目が自動的に選択される。これにより、ユーザによるカーソルの初期位置を選択するための操作を省略することができる。また、ユーザがレンズマークの刻印位置を誤って読み取ってしまった場合であっても、正しい入力項目にレンズマークを入力させることができる。
【００６９】
〔第２実施形態〕
上記実施形態において、レンズマーク照合装置１００の一部の機能を外部に設けるようにしてもよい。例えば、レンズマークの照合を行うための各データベース（レンズ情報記憶部、刻印情報記憶部、レンズマーク記憶部）を外部（例えば、インターネット上のサーバ装置）に設けるようにしてもよい。さらに、レンズ情報検索部を外部に設けるようにしてもよい。以下、図８を参照して、各データベースおよびレンズ情報検索部をサーバ装置に設けるようにした、本発明の第２実施形態について説明する。
【００７０】
図８は、本発明の第２実施形態に係るレンズマーク照合システム２００の機能構成例を示すブロック図である。図８に示すレンズマーク照合システム２００は、ユーザ端末２１０およびサーバ装置２５０を備えている。ユーザ端末２１０は、インターネットを介してサーバ装置２５０にアクセス可能である。図８では、ユーザ端末２１０を１台だけ示しているが、実際には、サーバ装置２５０には、複数のユーザ端末２１０がアクセス可能である。
【００７１】
サーバ装置２５０には、第１実施形態で説明したレンズ情報記憶部１０６、刻印情報記憶部１０８、レンズマーク記憶部１１０、レンズ情報検索部１１４に対応する、レンズ情報記憶部１０６’、刻印情報記憶部１０８’、レンズマーク記憶部１１０’、レンズ情報検索部１１４’が設けられている。また、サーバ装置２５０には、ユーザ端末２１０と通信を行うための通信部２５２と、レンズ情報検索部１１４によって検索されたレンズ情報をユーザ端末２１０へ出力するためのレンズ情報出力部２５４とがさらに設けられている。
【００７２】
一方、ユーザ端末２１０には、第１実施形態で説明したタッチパネル１０２、ディスプレイ１０４、入力受付部１１２、レンズ情報表示制御部１１６、入力可能レンズマーク提示部１１８、入力画面表示制御部１２０に対応する、タッチパネル１０２’、ディスプレイ１０４’、入力受付部１１２’、レンズ情報表示制御部１１６’、入力可能レンズマーク提示部１１８’、入力画面表示制御部１２０’が設けられている。また、ユーザ端末２１０には、サーバ装置２５０と通信を行うための通信部２１２がさらに設けられている。
【００７３】
このように構成されたレンズマーク照合システム２００によれば、ユーザ端末２１０において、タッチパネル１０２’の操作によってユーザが入力したレンズマークおよびその刻印位置は、入力受付部１１２’によって入力が受け付けられて、通信部２１２を介してサーバ装置２５０へ送信される。サーバ装置２５０では、通信部２５２がレンズマークおよびその刻印位置を受信して、レンズ情報検索部１１４’が当該レンズマークおよびその刻印位置を検索キーワードとして、レンズ情報記憶部１０６’からレンズ情報を検索する。そして、レンズ情報出力部２５４が、検索されたレンズ情報を、通信部２５２を介してユーザ端末２１０へ出力する。ユーザ端末２１０では、通信部２１２がレンズ情報を受信して、レンズ情報表示制御部１１６’が当該レンズ情報をディスプレイ１０４’に表示させる。
【００７４】
また、未入力の刻印位置に対するレンズマークの入力を入力受付部１１２’が受け付ける際に、記号の入力が選択された場合、入力可能レンズマーク提示部１１８’は、その時点で入力済みの１または複数のレンズマークおよびその刻印位置を検索キーワードとして、当該検索キーワードに該当する刻印情報を、通信部２１２および通信部２５２を介してサーバ装置２５０の刻印情報記憶部１０８’から検索し、検索された刻印情報に基づいて、レンズマーク記憶部１１０’に記憶されている複数の記号の中から、未入力の刻印位置に入力可能な記号を特定する。そして、入力画面表示制御部１２０’が、レンズ可能レンズマーク提示部１１８’によって特定されたレンズマークの一覧をディスプレイ１０４’に表示させる。
【００７５】
この構成によれば、ユーザ端末２１０に各データベースおよびレンズ情報の検索機能を設けないため、ユーザ端末２１０に導入するアプリケーションを軽量化することができる。また、サーバ装置２５０にて各データベースを一元管理するため、各データベースに対するデータの更新を容易に行うことができる。
【００７６】
上記各実施形態において、図４に示すように、右眼鏡レンズと左眼鏡レンズとでは、刻印位置の配置および識別番号の並びが、互いに対称的である。このため、同一のレンズマークが右眼鏡レンズと左眼鏡レンズとで対称的に刻印されている場合、図５に示す各刻印情報のように、右眼鏡レンズの刻印情報と左眼鏡レンズの刻印情報とで、同一の識別番号の刻印位置に同一のレンズマークが設定されたものとなる。すなわち、右眼鏡レンズの刻印情報と左眼鏡レンズの刻印情報とが同じ内容となるため、一方の刻印情報のみを刻印情報記憶部１０８に格納するようにしてもよい。
【００７７】
また、上記実施形態では、レンズマークとして記号を入力しようとしたときに、入力可能なレンズマーク（記号）を刻印情報記憶部１０８およびレンズマーク記憶部１１０の検索により取得して、取得した記号を入力候補としてユーザに提示するようにしているが、本発明はこれに限らない。例えば、レンズマークとして英数字を入力しようとしたときに、入力可能なレンズマーク（英数字）を刻印情報記憶部１０８から検索して、検索された英数字を入力候補としてユーザに提示するようにしてもよい。
【００７８】
また、上記各実施形態において、レンズ情報検索部１１４が刻印情報を検索する際に、刻印情報の全ての刻印位置（１〜３１番）の列を検索の対象とするのではなく、選択された刻印領域に対応する刻印位置の列のみを対象として検索するようにしてもよい。例えば、刻印領域Ｒ４が選択されている場合は、刻印領域Ｒ４に対応する２１〜２５番の刻印位置の列だけを検索対象とするといった具合である。
【００７９】
また、上記各実施形態において、ユーザがレンズマークの入力対象とする刻印領域を選択する際に、入力予定の複数の刻印領域を予め選択できるようにしてもよい。この場合、入力可能レンズマーク提示部１１８が未入力の刻印位置に入力可能な記号を検索する際に、刻印情報の全ての刻印位置（１〜３１番）の列を検索の対象とするのではなく、選択された複数の刻印領域に対応する刻印位置の列のみを検索の対象とするようにしてもよい。例えば、刻印領域Ｒ３、Ｒ４が選択されている場合は、刻印領域Ｒ３、Ｒ４に対応する１１〜１５番、２１〜２５番の刻印位置の列を検索対象とするといった具合である。
【００８０】
また、上記各実施形態において、最終的に検索された１つのレンズ情報のＩＤを検索キーワードとして、そのレンズ情報により示される眼鏡レンズに刻印されているレンズマークおよびその刻印位置を刻印情報記憶部１０８から検索してディスプレイ１０４に表示させる機能を設けるようにしてもよい。ユーザは、提示されたレンズマークおよびその刻印位置と、実際に眼鏡レンズに刻印されているレンズマークおよびその刻印位置とを照合することにより、レンズマークの入力が正しかったか否かを確認することができる。
【００８１】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００８２】
１００  レンズマーク照合装置
１０２，１０２’  タッチパネル
１０４，１０４’  ディスプレイ
１０６，１０６’  レンズ情報記憶部
１０８，１０８’  刻印情報記憶部
１１０，１１０’  レンズマーク記憶部
１１２，１１２’  入力受付部
１１４，１１４’  レンズ情報検索部
１１６，１１６’  レンズ情報表示制御部
１１８，１１８’  入力可能レンズマーク提示部
１２０，１２０’  入力画面表示制御部
２００  レンズマーク照合システム
２１０  ユーザ端末
２５０  サーバ装置
２１２  通信部
２５２  通信部
２５４  レンズ情報出力部
【図１】
2016091133.tif 000003
【図２】
2016091133.tif 000004
【図３】
2016091133.tif 000005
【図４】
2016091133.tif 000006
【図５】
2016091133.tif 000007
【図６】
2016091133.tif 000008
【図７】
2016091133.tif 000009
【図８】
2016091133.tif 000010
【図９】
2016091133.tif 000011